(57)【要約】      （修正有）【課題】飼育水槽用照明装置の提供。【解決手段】水槽の縁を挟持可能で、飼育水槽に必要な光線を提供する飼育水槽用照明装置であり、それは、クランプシートセット２、角度調整機構３及びランプシート４で構成され、以上の構造により、必要によりランプを水平、仰俯角度及び高さ位置の調整が可能で、その照射角度の調整操作に便利で十分な光線を提供する。【選択図】図２
0003109910.tif 000002
【実用新案登録請求の範囲】
【請求項１】
クランプシートセット、角度調整機構、ランプシートで構成された飼育水槽用照明装置であり、
該クランプシートセットは、固定座と高さ調節ロッド、及び、第１調節セットを具え、  該固定座は、その下方に凹口を具え、該凹口の側壁に一つ以上の第１ボルト孔が設けられて一つ以上の第１ボルトが螺合され、且つ該固定座の一側に径方向に第１スリーブが設けられて該第１スリーブの側部に横向きに第２スリーブが設けられ、
該高さ調節ロッドは、固定座の第１スリーブ中に収容され、そのロッド本体の上段にロッド本体より小さい嵌合部が設けられ、並びに該嵌合部より一対の係止片が上向きに延伸され、
該第１調節セットは、第１回転輪が第２回転輪に嵌合されてなり、
該角度調整機構は、第１部品と第２部品を具え、
該第１部品は、軸孔を具え、該軸孔の周縁に少なくとも一つの位置決め孔が環状に配設され、また、第１部品より第１支持アームと第２支持アームが上向きに延伸され、第１支持アームに貫通孔が設けられ、第２支持アームに該貫通孔に対応するようにネジ山を具えたネジ孔が設けられてボルトの螺合に供され、
該第２部品は、一側に嵌合部が設けられて高さ調節ロッドの嵌合部と嵌合され、第２部品の嵌合部の嵌合孔の内周に１本以上の凹係合溝が設けられて高さ調節ロッドの係止片との係合に供され、該第２部品の嵌合部の一側より二つの翼片が延伸され、各翼片に第１部品の軸孔に対応する固定孔が設けられて第３ボルトが通されて該第３ボルトがナットで固定され、該二つの翼片が第１部品を挟持し、
該ランプシートは座体とランプカバーを具え、
該座体に灯管が挿入され、該ランプシートの下端に枢設シートが設けられて第１部品の第１支持アームと第２支持アームの間に枢設され、
該ランプカバーは、上カバーと下カバーで組成され、
以上を特徴とする、飼育水槽用照明装置。
【請求項２】
請求項１記載の飼育水槽用照明装置において、高さ調節ロッドのロッド本体の一側に滑り溝が設けられ、該滑り溝に固定座の第１スリーブ内のリブが収容されたことを特徴とする、飼育水槽用照明装置。
【請求項３】
請求項１記載の飼育水槽用照明装置において、高さ調節ロッドのロッド本体の一側にラックが設けられ、該ラックが第１調節セットの第１回転輪の一側に設けられた歯車と噛み合うことを特徴とする、飼育水槽用照明装置。
【請求項４】
請求項１記載の飼育水槽用照明装置において、固定座の凹口中に一つ以上の補助片が設けられたことを特徴とする、飼育水槽用照明装置。
【考案の詳細な説明】
【技術分野】
【０００１】
本考案は飼育水槽用照明装置に係り、特に、使用者が必要により、照明装置の水平、仰俯角及び高さ位置の調整を行なえて照射角度の調整に便利であるものに関する。
【背景技術】
【０００２】
周知の飼育水槽用照明装置１は、図１に示されるように、クランプシート１１の一側より蛇腹管１２が延伸され、並びに蛇腹管１２の末端にランプシート１３が接続され、ランプシート１３内に灯管１４が設けられ、この構造により、クランプシート１１に固定ボルトＡが組み合わされて、飼育水槽用照明装置が水槽の縁に取付られる。
【考案の開示】
【考案が解決しようとする課題】
【０００３】
上述の周知の飼育水槽用照明装置１は使用上、以下のような欠点を有している。
１．クランプシート１１は挟持口１１１に固定ボルトＡが組み合わされて水槽を挟持し、並びにフレキシブルな蛇腹管１２により飼育水槽用照明装置１の照射角度が調整される。ただし、蛇腹管１２の受けられる重量は有限であり、蛇腹管がランプシート１３の重量或いは重力作用に耐えられずに次第に下向きに曲がり垂れる情況が発生し、照射角度が変わり照明不足の欠点がもたらされることがよくある。
２．周知の飼育水槽用照明装置１のランプシート１３内部の灯管１４は直接水槽に対向し、水蒸気が凝結して灯管１４の使用寿命に影響を与えやすい。
【０００４】
本考案は上記の周知の技術の欠点に対して、一種の飼育水槽用照明装置を提供することを目的とし、それは、使用者が使用の必要により飼育水槽用照明装置の照射角度を調整でき、水槽に光線不足或いは照射角度調整に不便である欠点を防止したものとする。
【課題を解決するための手段】
【０００５】
請求項１の考案は、クランプシートセット、角度調整機構、ランプシートで構成された飼育水槽用照明装置であり、
該クランプシートセットは、固定座と高さ調節ロッド、及び、第１調節セットを具え、  該固定座は、その下方に凹口を具え、該凹口の側壁に一つ以上の第１ボルト孔が設けられて一つ以上の第１ボルトが螺合され、且つ該固定座の一側に径方向に第１スリーブが設けられて該第１スリーブの側部に横向きに第２スリーブが設けられ、
該高さ調節ロッドは、固定座の第１スリーブ中に収容され、そのロッド本体の上段にロッド本体より小さい嵌合部が設けられ、並びに該嵌合部より一対の係止片が上向きに延伸され、
該第１調節セットは、第１回転輪が第２回転輪に嵌合されてなり、
該角度調整機構は、第１部品と第２部品を具え、
該第１部品は、軸孔を具え、該軸孔の周縁に少なくとも一つの位置決め孔が環状に配設され、また、第１部品より第１支持アームと第２支持アームが上向きに延伸され、第１支持アームに貫通孔が設けられ、第２支持アームに該貫通孔に対応するようにネジ山を具えたネジ孔が設けられてボルトの螺合に供され、
該第２部品は、一側に嵌合部が設けられて高さ調節ロッドの嵌合部と嵌合され、第２部品の嵌合部の嵌合孔の内周に１本以上の凹係合溝が設けられて高さ調節ロッドの係止片との係合に供され、該第２部品の嵌合部の一側より二つの翼片が延伸され、各翼片に第１部品の軸孔に対応する固定孔が設けられて第３ボルトが通されて該第３ボルトがナットで固定され、該二つの翼片が第１部品を挟持し、
該ランプシートは座体とランプカバーを具え、
該座体に灯管が挿入され、該ランプシートの下端に枢設シートが設けられて第１部品の第１支持アームと第２支持アームの間に枢設され、
該ランプカバーは、上カバーと下カバーで組成され、
以上を特徴とする、飼育水槽用照明装置としている。
請求項２の考案は、請求項１記載の飼育水槽用照明装置において、高さ調節ロッドのロッド本体の一側に滑り溝が設けられ、該滑り溝に固定座の第１スリーブ内のリブが収容されたことを特徴とする、飼育水槽用照明装置としている。
請求項３の考案は、請求項１記載の飼育水槽用照明装置において、高さ調節ロッドのロッド本体の一側にラックが設けられ、該ラックが第１調節セットの第１回転輪の一側に設けられた歯車と噛み合うことを特徴とする、飼育水槽用照明装置としている。
請求項４の考案は、請求項１記載の飼育水槽用照明装置において、固定座の凹口中に一つ以上の補助片が設けられたことを特徴とする、飼育水槽用照明装置としている。
【考案の効果】
【０００６】
本考案はクランプシートセットに角度調整機構とランプシートが組み合わされてなり、上述の部品により使用者が必要に応じて飼育水槽用照明装置の照射角度を調整でき、並びに照射角度の調整操作に便利であり、十分な光線を提供できる。
【考案を実施するための最良の形態】
【０００７】
図２、３及び図４に示されるように、本考案はクランプシートセット２、角度調整機構３、ランプシート４で構成されている。
【０００８】
該クランプシートセット２は、固定座２１、高さ調節ロッド２２、第１調節セット２３を具え、並びに一つ以上の補助片２４が組み合わされてなる。
【０００９】
該固定座２１は、その下方に凹口２１１を具え、該凹口２１１の側壁に一つ以上の第１ボルト孔２１１１が設けられ、並びに一つ以上の第１ボルトＢ１が螺合され、且つ該固定座２１の一側に径方向に第１スリーブ２１２が設けられ、並びに第２ボルトＢ２が螺合されるネジ孔２１２２と連通し、第１スリーブ２１２の管内に径方向にリブ２１２１が設けられ、該第１スリーブ２１２の側部に横向きに第２スリーブ２１３が設けられ、且つ第１スリーブ２１２と第２スリーブ２１３が連通する。
【００１０】
高さ調節ロッド２２は、固定座２１の第１スリーブ２１２中に収容され、そのロッド本体２２０の上段にロッド本体２２０よりやや小さい嵌合部２２１が設けられ、並びに該嵌合部２２１より一対の係止片２２２、２２３が上向きに延伸され、該高さ調節ロッド２２のロッド本体２２０の一側に滑り溝２２４が設けられて該固定座２１の第１スリーブ２１２内のリブ２１２１を収容し、またロッド本体２２０の別側にラック２２５が設けられている。
【００１１】
該第１調節セット２３は、第１回転輪２３１が第２回転輪２３２に嵌合されてなり、該第１回転輪２３１の一側に歯車２３１１が設けられ、それは高さ調節ロッド２２のラック２２５に対応しそれと噛み合い、別側に該歯車２３１１より大きい第１回転輪ヘッド２３１２が設けられ、該第２回転輪２３２は、その一側に第２回転輪ヘッド２３２１が設けられ、その別側より位置決めピン２３２２が延伸され、該位置決めピン２３２２が第１回転輪２３１の歯車２３１１内に挿入され並びに結合固定される。
【００１２】
一つ以上の補助片２４は、該固定座２１の大凹口２１１中に挿入され、凹口２１１の空間を補填し、該補助片２４に第１ボルトＢ１の挿通に供される切欠き２４１が設けられ、該補助片２４は軟性材質とされ、例えばゴムで形成される。
【００１３】
角度調整機構３は、第１部品３１、第２部品３２を具え、それに第３ボルトＢ３及びナットＢ４が組み合わされてなる。
【００１４】
該第１部品３１は、軸孔３１１を具え、且つ該軸孔３１１の周縁に少なくとも一つの位置決め孔３１２が環状に配設され、また、第１部品３１より第１支持アーム３１３と第２支持アーム３１４が上向きに延伸され、且つ第１支持アーム３１３と第２支持アーム３１４の間に空間３１５があり、該第１支持アーム３１３を貫通孔３１３１が貫通し、第２支持アーム３１４に該貫通孔３１３１に対応するようにネジ山を具えたネジ孔３１４１が設けられてボルト３１６の螺合に供される。
【００１５】
該第２部品３２は、一側に嵌合部３２１が設けられ、それは高さ調節ロッド２２の嵌合部２２１と嵌合され、該嵌合部３２１の嵌合孔３２２の内周に１本以上の凹係合溝３２２１が設けられて高さ調節ロッド２２の係止片２２２との係合に供され、該嵌合部３２１の一側より二つの翼片３２３、３２４が延伸され、且つ二つの翼片３２３、３２４の間に第１部品３１を収容する空間３２５が形成され、該二つの翼片３２３、３２４に固定孔３２３１、３２４１が設けられて第１部品３１の軸孔３１１に対応し、並びに第３ボルトＢ３の挿入に供され、該第３ボルトＢ３がナットＢ４により固定され、該翼片３２３、３２４が第１部品３１を挟持し、該翼片３２３、３２４の内側に第１部品３１の位置決め孔３１２に対応する少なくとも一つの位置決め柱３２４２が設けられている。
【００１６】
該ランプシート４は座体４０とランプカバー４３を具えている。
【００１７】
該座体４０に灯管４１が挿入され、該ランプシート４の下端にネジ孔を具えた枢設シート４２が設けられて第１部品３１の第１支持アーム３１３と第２支持アーム３１４の間に枢設され、並びにボルト３１６が第１支持アーム３１３の貫通孔３１３１、枢設シート４２のネジ孔に通された後、さらに第２支持アーム３１４のネジ孔３１４１と螺合され、該ランプシート４の前方に第１嵌合部４０２が設けられ、並びに該第１嵌合部４０２の一側にストッパ４０３が設けられ、且つストッ４０３に一つ以上の位置制限凸体４０４が凸設されている。
【００１８】
該ランプカバー４３は、上カバー４３１と下カバー４３２で組成され、該上カバー４３１にあってランプシート４の第１嵌合部４０２に対応する部分に第２嵌合部４３１１が設けられ、並びに第２嵌合部４３１１に係止体４３１２が凸設されて該座体４０の二つの位置制限凸体４０４の間に収容され、該上カバー４３１の下方に窓口４３１３が設けられて灯管４１の光線の射出に供され、且つ窓口４３１３内の上方に反射片４３１４が設けられ、灯管４１の輝度を増し、また該上カバー４３１の外側に複数の抵抗紋４３１５が設けられ、該下カバー４３１２は上カバー４３１の窓口４３１３に嵌合されて水蒸気の直接付着を防止する。
【００１９】
以上の部品で構成され、図４、５に示されるように、使用者は本考案を、クランプシートセット２の固定座２１の凹口２１１により水槽の框体Ｃに取付け、並びに補助片２４及び第１ボルトＢ１を組み合わせて框体Ｃに固定する。ランプシート４の仰俯角を調整したい時は、角度調整機構３の第３ボルトＢ３を回してゆるめ、ランプシート４及び第１部品３１及び第２部品３２のボルトＢ３を軸として仰俯の回転を行なわせ、回転時に第２部品３２の位置決め柱３２４２が第１部品３１の位置決め孔３１２と定位位置制限作用を形成し、使用者の調節の位置決めに便利であり、回転して適当な仰俯角とした時、さらに第３ボルトＢ３を締めて翼片３２３、３２４により第１部品３１を挟持すれば、ランプシート４の仰俯角の調整が完成する。
【００２０】
このほか、直接ランプシート４を回転させて小幅の照射角度調整を行なうこともでき（図６）、調整時には、手でランプシート４の上カバー４３１を握持して右或いは左向きに回転させて、上カバー４３１の第２嵌合部４３１１をランプシート４の第１回転部４０２により回転させ、該上カバー４３１の窓口４３１３の位置を調整し、大きな照射角度の調整を行ないたい時（図７）、第１部品３１、第２部品３２のボルト３１６をゆるめ、ランプシート４のボルト３１６を軸として左右に回転させて適当な位置とし、更にボルト３１６を締めれば調節の動作が完成する。また、高さ調節ロッド２２の嵌合部２２１を軸とし（図８）、第２部品３２の嵌合部３２１を組合せてランプシート４を水平方向に左右に回転させることもできる。
【００２１】
図９は本考案の高さ調節表示図であり、使用者は第２ボルトＢ２をゆるめ、クランプシートセット２の第１回転輪２３１の第１回転輪ヘッド２３１２を回転させて、第１回転輪２３１の歯車２３１１を連帯回転させ、これにより高さ調節ロッド２２をそのラック２２５と歯車３１１との噛み合いにより、昇降させられ、これにより高さ調節ロッド２２の高さを調節した後に、更に第２ボルトＢ２を締める。
【００２２】
総合すると、本考案は構造が簡単で、且つ有効に周知の飼育水槽用照明装置の欠点を解決し、使用者に快速で便利な調整構造を提供している。なお、以上の実施例は本考案の実施範囲を限定するものではなく、以上の実施例及び図面の記載に基づきなしうる細部の修飾或いは改変は、いずれも本考案の請求範囲に属するものとする。
【図面の簡単な説明】
【００２３】
【図１】周知の飼育水槽用照明装置の表示図である。
【図２】本考案の実施例表示図である。
【図３】本考案の立体分解図である。
【図４】本考案の取付断面表示図である。
【図５】本考案のランプシートの仰俯角調整表示図である。
【図６】本考案のランプシートの水平調整表示図（一）である。
【図７】本考案のランプシートの水平調整表示図（二）である。
【図８】本考案のランプシートの水平調整表示図（三）である。
【図９】本考案のランプシートの高さ調節表示図である。
【符号の説明】
【００２４】
１  飼育水槽用照明装置          １１  クランプシート
１１１  挟持口                  １２  蛇腹管
１３  ランプカバー              １４  灯管
２  クランプシートセット
２１  固定座                    ２１１  凹口
２１１１  第１ボルト孔          ２１２  第１スリーブ
２１２１  リブ                  ２１３  第２スリーブ
２２  高さ調節ロッド            ２２１  嵌合部
２２２、２２３  係止片          ２２４  滑り溝
２２５  ラック
２３  第１調節セット            ２３１  第１回転輪
２３１１  歯車                  ２３１２  第１回転輪ヘッド
２３２  第２回転輪              ２３２１  第２回転輪ヘッド
２３２２  位置決めピン
２４  補助片                    ２４１  切欠き
３  角度調整機構
３１  第１部品                  ３１１  軸孔
３１２  位置決め孔              ３１３  第１支持アーム
３１４  第２支持アーム          ３１５  空間
３１３１  貫通孔                ３１４１  ネジ孔
３１６  ボルト
３２  第２部品                  ３２１  嵌合部
３２２  嵌合孔                  ３２２１  凹係合溝
３２３、３２４  翼片            ３２５  空間
３２３１、３２４１  固定孔
３２４２  位置決め柱
４  ランプシート                ４０  座体
４０１  ボルト孔                ４０２  第１嵌合部
４０３  ストッパ                ４０４  位置制限凸体
４１  灯管                      ４２  枢設シート
４３  ランプカバー
４３１  上カバー                ４３１１  第２嵌合部
４３１２  係止体                ４３１３  窓口
４３１４  反射片                ４３１５  抵抗紋
４３２  下カバー
Ａ  固定ボルト                  Ｂ１  第１ボルト
Ｂ２  第２ボルト                Ｂ３  第３ボルト
Ｂ４  ナット                    Ｃ  框体
【図１】
0003109910.tif 000003
【図２】
0003109910.tif 000004
【図３】
0003109910.tif 000005
【図４】
0003109910.tif 000006
【図５】
0003109910.tif 000007
【図６】
0003109910.tif 000008
【図７】
0003109910.tif 000009
【図８】
0003109910.tif 000010
【図９】
0003109910.tif 000011